(57)【要約】【課題】全体構造を簡素化する。【解決手段】プレーヤが上面に立ち得るベース板１１と、ベース板１１の下面に配置する４台の電動ジャッキ２１、２１…とを設ける。【選択図】図１
2012139444.tif 000002
【特許請求の範囲】
【請求項１】
プレーヤが上面に立ち得るベース板と、該ベース板の下面に配置する４台の電動ジャッキとを備えてなるゴルフ練習用の傾斜台。
【請求項２】
前記各電動ジャッキは、球面を介して接地することを特徴とする請求項１記載のゴルフ練習用の傾斜台。
【請求項３】
前記ベース板は、正方形に形成し、前記電動ジャッキは、前記ベース板の四隅部に配置することを特徴とする請求項１または請求項２記載のゴルフ練習用の傾斜台。
【請求項４】
前記電動ジャッキは、平行四辺形に配置し、対角線上の一対を同時に同量だけ逆方向に伸縮制御することを特徴とする請求項１ないし請求項３のいずれか記載のゴルフ練習用の傾斜台。
【請求項５】
前記各電動ジャッキは、個別に伸縮制御可能であることを特徴とする請求項１ないし請求項４のいずれか記載のゴルフ練習用の傾斜台。
【発明の詳細な説明】
【技術分野】
【０００１】
この発明は、ゴルフのプレーヤがスイングの練習用に使用するゴルフ練習用の傾斜台に関する。
【背景技術】
【０００２】
ゴルフの打球の際のスイングの練習用として、ゴルフコースを想定する傾斜面を模擬するために、プレーヤが立ち得る載置台の傾斜方向、傾斜角度を任意に設定することができる傾斜面の設定装置が提案されている（特許文献１）。
【０００３】
この装置は、十字状に一体化するＸ軸体とＹ軸体とを基板上に搭載し、Ｘ軸のまわりに回転可能なＸ軸体の一端部にＸ軸昇降機構を設け、Ｘ軸体を横切るＹ軸体の一端をＹ軸昇降機構によって昇降させ、Ｘ軸昇降機構と、Ｙ軸体上の一対の連結体とを介して載置台を支持し、Ｘ軸昇降機構、Ｙ軸昇降機構を個別に駆動することにより、載置台をＹ軸体の左右方向とＸ軸体の左右方向とに任意に傾斜させることができる。ただし、Ｙ軸体上の一対の連結体は、一直線状に配列され、Ｙ軸のまわりに回転可能である。
【先行技術文献】
【特許文献】
【０００４】
【特許文献１】特開２００１−９５６６０号公報
【発明の概要】
【発明が解決しようとする課題】
【０００５】
かかる従来技術によるときは、プレーヤが立つ載置台は、Ｘ軸昇降機構を伴うＸ軸体と、Ｙ軸昇降機構を伴うＹ軸体とを基板上において十字状に組み合わせ、Ｘ軸昇降機構と、Ｙ軸体上の一対の連結体とを介して支持するので、全体構造が複雑であり、載置台の下部に頑丈な基板を要する上、基板と載置台との間に大きなスペースを要し、使い勝手が悪く、ゴルフの練習用として実用性に乏しいという問題があった。
【０００６】
そこで、この発明の目的は、かかる従来技術の問題に鑑み、ベース板の下面に４台の電動ジャッキを配置することによって、全体構造を簡素化するとともに、高い実用性を有するゴルフ練習用の傾斜台を提供することにある。
【課題を解決するための手段】
【０００７】
かかる目的を達成するためのこの発明の構成は、プレーヤが上面に立ち得るベース板と、ベース板の下面に配置する４台の電動ジャッキとを備えることをその要旨とする。
【０００８】
なお、各電動ジャッキは、球面を介して接地することができる。
【０００９】
また、ベース板は、正方形に形成し、電動ジャッキは、ベース板の四隅部に配置してもよい。
【００１０】
なお、電動ジャッキは、平行四辺形に配置し、対角線上の一対を同時に同量だけ逆方向に伸縮制御することができ、各電動ジャッキは、個別に伸縮制御可能とすることができる。
【発明の効果】
【００１１】
かかる発明の構成によるときは、プレーヤが上面に立ち得るベース板は、下面に配置する４台の電動ジャッキのみで支持されるため、全体構造の簡素化を図り、十分高い実用性を容易に実現することができる。なお、ベース板は、各電動ジャッキを伸縮させることにより、任意の方向に任意の傾斜角度に傾けることができ、プレーヤは、ベース板の上面に立ってスイングの練習をすることができる。
【００１２】
球面を介して接地する各電動ジャッキは、ベース板が任意に傾いても、球面が地上を転がり、ベース板の傾きに無理なく追従することができる。
【００１３】
ベース板を正方形にすれば、プレーヤは、正方形の一辺をスイング方向に合わせて練習の目安にすることができる。なお、ベース板の四隅部の電動ジャッキは、ベース板を安定に支持することができ、ベース板をいわゆる左足上がり・左足下がり、爪先上がり・爪先下がりに簡単に設定することができる。
【００１４】
平行四辺形に配置する電動ジャッキは、一方の対角線上の一対の電動ジャッキを同時に同量だけ逆方向に伸縮制御することにより、ベース板を他方の対角線のまわりに回転させるように傾けることができる。
【００１５】
各電動ジャッキは、個別に伸縮制御することにより、全部を正しく接地させ、ベース板を安定に支持することができる。
【図面の簡単な説明】
【００１６】
【図１】全体構成模式下面図
【図２】図１のＸ矢視相当模式拡大図
【図３】電動ジャッキの斜視図
【図４】制御動作説明図
【図５】動作状態を示す図２相当図
【発明を実施するための形態】
【００１７】
以下、図面を以って発明の実施の形態を説明する。
【００１８】
ゴルフ練習用の傾斜台は、プレーヤが上面に立ち得る正方形のベース板１１と、ベース板１１の下面に配置する４台の電動ジャッキ２１、２１…とを備えてなる（図１、図２）。なお、電動ジャッキ２１、２１…は、ベース板１１の下面の四隅部に対応する位置Ａ、Ｂ、Ｃ、Ｄに正方形に配置されている。
【００１９】
各電動ジャッキ２１は、パンタグラフ式のジャッキ本体２１ａに対し、駆動用のモータ２１ｂを付設して構成されている（図３）。モータ２１ｂは、図示しない減速ギヤを介して駆動用のねじ軸２１ｃに連結されており、ねじ軸２１ｃを正逆に回転駆動することにより、ジャッキ本体２１ａを上下に伸縮させることができる。なお、ジャッキ本体２１ａの脚２１ｄの下面には、下向きの球面を有する接地部材２３が付設されており（図２、図３）、ジャッキ本体２１ａの上端のキャップ２１ｅは、補強板２２を介してベース板１１の下面に固定されている。
【００２０】
ベース板１１の位置Ａ、Ｂ…Ｄの電動ジャッキ２１、２１…は、ジョイスティック３１、制御回路３２を介して伸縮制御することができる（図４（Ａ））。すなわち、ジョイスティック３１をＡ側に倒すと、位置Ａの電動ジャッキ２１が伸長し（図４（Ｂ）のＡ行Ａ列の＋符号）、同時に位置Ａを通る対角線上の位置Ｃの電動ジャッキ２１が同量だけ短縮する（同図のＡ行Ｃ列の−符号）。また、ジョイスティック３１をＢ側に倒すと、位置Ｂの電動ジャッキ２１が伸長し（図４（Ｂ）のＢ行Ｂ列の＋符号）、同時に位置Ｂを通る対角線上の位置Ｄの電動ジャッキ２１が同量だけ短縮する（同図のＢ行Ｄ列の−符号）。以下、同様にして、ジョイスティック３１をＣ側に倒すと、対角線上の位置Ｃ、Ａの電動ジャッキ２１、２１が同時に同量だけ逆方向に伸縮し（図４（Ｂ）のＣ行Ｃ列の＋符号、Ｃ行Ａ列の−符号）、ジョイスティック３１をＤ側に倒せば、位置Ｄ、Ｂの電動ジャッキ２１、２１が同時に同量だけ逆方向に伸縮する（図４（Ｂ）のＤ行Ｄ列の＋符号、Ｄ行Ｂ列の−符号）。
【００２１】
なお、制御回路３２には、位置Ａ、Ｂ…Ｄの各電動ジャッキ２１を個別に伸縮制御するスイッチ３３、３３…が併せて付設されている（図４（Ａ））。スイッチ３３、３３…は、位置Ａ、Ｂ…Ｄの各電動ジャッキ２１に対応しており、それぞれ＋側、−側に倒すことにより、対応する電動ジャッキ２１を伸長させ、短縮させることができる。ただし、制御回路３２は、ジョイスティック３１の操作に対して各スイッチ３３の操作を優先させ、ジョイスティック３１の操作、各スイッチ３３の操作が同時に同一の電動ジャッキ２１に対して共存すると、各スイッチ３３の操作が有効となり、ジョイスティック３１の操作が無視される。
【００２２】
かかるゴルフ練習用の傾斜台は、４台の電動ジャッキ２１、２１…を中位の同一高さに設定すると、ベース板１１を地表Ｆ上に水平にセットすることができる（図２）。なお、このとき、各電動ジャッキ２１は、接地部材２３の球面を介して接地し、地表Ｆに対して垂直に起立している。
【００２３】
そこで、たとえばジョイスティック３１をＡ側に倒して位置Ａ、Ｃの電動ジャッキ２１、２１を同時に同量だけ伸長させ、短縮させると（図５）、ベース板１１は、位置Ａ側が高くなるとともに位置Ｃ側が低くなり、位置Ｂ、Ｄを通る対角線のまわりに回転するようにして位置Ｃ側に傾けることができる。ジョイスティック３１をＢ側、Ｃ側、Ｄ側に倒しても同様である。そこで、ベース板１１は、ジョイスティック３１を介し、任意の方向に任意の傾斜角度に傾けることができる。なお、図５において、各電動ジャッキ２１は、接地部材２３の球面を介し、地表Ｆに対して任意に傾いてベース板１１の傾きに追従する。
【００２４】
一方、スイッチ３３、３３…のいずれかを操作して位置Ａ、Ｂ…Ｄの各電動ジャッキ２１を個別に伸縮制御することにより、ベース板１１の傾斜方向、傾斜角度に拘らず、各電動ジャッキ２１を正しく接地させ、ベース板１１を安定に支持させることができる。なお、ジョイスティック３１、スイッチ３３、３３…は、プレーヤがベース板１１の上面に立った状態で、スイングに支障なく、ベース板１１の傾斜方向、傾斜角度を任意に調節設定し得るように、たとえばベース板１１の近傍に配置するスタンド上に設け、または、プレーヤがポケットなどに収納して携帯し得るリモートコントローラ形のスイッチボックスとして構成することが好ましい。ただし、ジョイスティック３１は、その機能を４個の個別の押しボタンスイッチとしてもよく、スイッチ３３、３３…は、これらを省略してもよい。
【他の実施の形態】
【００２５】
ベース板１１は、正方形に代えて、長方形や、円形、長円形、任意の多角形などとしてもよい。ただし、ベース板１１の外形には、スイング方向を想定するために、直線状の一辺を少なくとも含ませることが好ましい。
【００２６】
また、各電動ジャッキ２１は、駆動用のモータ２１ｂを介してねじ軸２１ｃを回転駆動する形式に代えて、たとえば電動制御可能な油圧式のジャッキや、ラック式のジャッキなどを使用してもよい。
【００２７】
なお、電動ジャッキ２１、２１…は、ベース板１１の下面に対し、正方形、長方形を含む平行四辺形に配置することにより、対角線上の一対を同時に同量だけ逆方向に伸縮制御してベース板１１を任意の方向に任意の傾斜角度に傾けることができる。また、電動ジャッキ２１の上端の補強板２２とベース板１１との間には、たとえば薄いゴム板のような緩衝材を介装してもよい。
【産業上の利用可能性】
【００２８】
この発明は、個人が自宅の庭先などで使用する個人的な用途の他、ゴルフ練習場などに設置して不特定多数が使用する業務用の用途に対しても広く好適に適用することができる。
【符号の説明】
【００２９】
１１…ベース板
２１…電動ジャッキ
特許出願人      アクソンデータマシン株式会社
【図１】
2012139444.tif 000003
【図２】
2012139444.tif 000004
【図３】
2012139444.tif 000005
【図４】
2012139444.tif 000006
【図５】
2012139444.tif 000007